(57)【要約】  ディスプレイ装置が開示される。本ディスプレイ装置は、複数の光源からなるバックライトとディスプレイパネルとを含んで、予め設定されたオブジェクトを含む背景映像を表示するディスプレイと、ディスプレイの外側に設置され、外部の照明環境を検知するセンサ部と、検知された照明環境に応じて照明方向を決定し、決定された照明方向に対応する位置に予め設定されたオブジェクトに対する陰オブジェクトを表示する一方で、複数の光源のうち、陰オブジェクトの位置に対応する光源の輝度を検知された照明環境に応じて調整するプロセッサとを含む。
2020513581.tif 000002
【特許請求の範囲】
【請求項１】
ディスプレイ装置において、
複数の光源からなるバックライトとディスプレイパネルとを含んで、予め設定されたオブジェクトを含む背景映像を表示するディスプレイと、
前記ディスプレイの外側に設置され、外部の照明環境を検知するセンサ部と、
前記検知された照明環境に応じて照明方向を決定し、前記決定された照明方向に対応する位置に前記予め設定されたオブジェクトに対する陰オブジェクトを表示する一方で、前記複数の光源のうち、前記陰オブジェクトの位置に対応する光源の輝度を前記検知された照明環境に応じて調整するプロセッサと
を含むディスプレイ装置。
【請求項２】
前記プロセッサは、
前記複数の光源のうち、前記陰オブジェクトの位置に対応する光源の輝度が他の光源より暗くなるように前記バックライトを制御することを特徴とする請求項１に記載のディスプレイ装置。
【請求項３】
前記プロセッサは、
前記ディスプレイ装置の外部の照明環境及び前記陰オブジェクトの位置に基づいて、前記複数の光源のそれぞれに対する調光値を算出し、前記算出された調光値を前記複数の光源のそれぞれに提供することを特徴とする請求項２に記載のディスプレイ装置。
【請求項４】
前記プロセッサは、
照度値及び色温度を更に考慮し、前記陰オブジェクトの大きさを決定することを特徴とする請求項１に記載のディスプレイ装置。
【請求項５】
前記プロセッサは、
色温度を更に考慮し、前記複数の光源のそれぞれに対する調光値を算出することを特徴とする請求項３に記載のディスプレイ装置。
【請求項６】
前記複数の光源は、
マトリックス状に配置されることを特徴とする請求項１に記載のディスプレイ装置。
【請求項７】
前記センサ部は、
前記ディスプレイ装置上に相互離隔している複数の位置に配置される複数の照度センサを含むことを特徴とする請求項１に記載のディスプレイ装置。
【請求項８】
前記複数の照度センサは、
前記ディスプレイ装置の左上に配置される第１照度センサと、
前記ディスプレイ装置の右上に配置される第２照度センサと
を含むことを特徴とする請求項７に記載のディスプレイ装置。
【請求項９】
ディスプレイ方法において、
複数の光源を用いて予め設定されたオブジェクトを含む背景映像を表示するステップと、
ディスプレイ装置の外側に設置され、外部の照明環境を検知するステップと、
前記検知された照明環境に応じて照明方向を決定し、前記決定された照明方向に対応する位置に前記予め設定されたオブジェクトに対する陰オブジェクトを表示する一方で、前記複数の光源のうち、前記陰オブジェクトの位置に対応する光源の輝度を前記検知された照明環境に応じて調整するステップと
を含むディスプレイ方法。
【請求項１０】
前記調整するステップは、
前記複数の光源のうち、前記陰オブジェクトの位置に対応する光源の輝度が他の光源より暗くなるように前記複数の光源を制御することを特徴とする請求項９に記載のディスプレイ方法。
【請求項１１】
前記調整するステップは、
前記ディスプレイ装置の外部の照明環境及び前記陰オブジェクトの位置に基づいて、前記複数の光源のそれぞれに対する調光値を算出し、前記算出された調光値を前記複数の光源のそれぞれに提供することを特徴とする請求項１０に記載のディスプレイ方法。
【請求項１２】
前記調整するステップは、
色温度を更に考慮し、前記複数の光源のそれぞれに対する調光値を算出することを特徴とする請求項１０に記載のディスプレイ方法。
【請求項１３】
前記調整するステップは、
照度値及び色温度を更に考慮し、前記陰オブジェクトの大きさを決定し、前記決定された位置に前記決定された大きさの陰オブジェクトを表示することを特徴とする請求項９に記載のディスプレイ方法。
【請求項１４】
前記検知するステップは、
前記ディスプレイ装置の外側に相互離隔している複数の位置に配置される複数の照度センサを用いて照明環境を検知することを特徴とする請求項９に記載のディスプレイ方法。
【請求項１５】
前記検知するステップは、
前記複数の位置のうち少なくとも一つの位置で照度、光強度及び色温度を検知することを特徴とする請求項１４に記載のディスプレイ方法。
【発明の詳細な説明】
【技術分野】
【０００１】
本発明は、ディスプレイ装置及びディスプレイ方法に関し、より詳細には、周辺の環境変化に適応的に変化する背景映像を表示することができるディスプレイ装置及びディスプレイ方法に関する。
【背景技術】
【０００２】
ディスプレイ装置は、外部から提供される映像信号を表示する装置である。近来は、ディスプレイ装置が映像を表示する機能や、通常の映像表示機能だけでなく、様々なユーザの経験を提供することができる機能が追加されている。
【０００３】
このような例として、ディスプレイ装置の後ろの背景映像を獲得し、ディスプレイ装置が背景映像を表示することで、ディスプレイが透明なガラス窓になったような視覚的効果を提供するものである。
【０００４】
ただ、実際の環境の中で光の条件の変化に応じて、背景環境は変化するようになるという点において、実際の周辺の環境変化に適応的に背景映像を変更することができる方法が求められている。
【発明の概要】
【発明が解決しようとする課題】
【０００５】
そこで、本発明は、上記問題に鑑みてなされたものであり、本発明の目的とするところは、周辺の環境変化に適応的に変化する背景映像を表示することができるディスプレイ装置及びディスプレイ方法を提供することにある。
【課題を解決するための手段】
【０００６】
上述の目的を達成するための本発明の一実施形態に係るディスプレイ装置は、複数の光源からなるバックライトとディスプレイパネルとを含んで、予め設定されたオブジェクトを含む背景映像を表示するディスプレイと、前記ディスプレイの外側に設置され、外部の照明環境を検知するセンサ部と、前記検知された照明環境に応じて照明方向を決定し、前記決定された照明方向に対応する位置に前記予め設定されたオブジェクトに対する陰オブジェクトを表示する一方で、前記複数の光源のうち、前記陰オブジェクトの位置に対応する光源の輝度を前記検知された照明環境に応じて調整するプロセッサとを含む。
【０００７】
この場合、前記プロセッサは、前記複数の光源のうち、前記陰オブジェクトの位置に対応する光源の輝度が他の光源より暗くなるように前記バックライトを制御してよい。
【０００８】
この場合、前記プロセッサは、前記ディスプレイ装置の外部の照明環境及び前記陰オブジェクトの位置に基づいて、前記複数の光源のそれぞれに対する調光値を算出し、前記算出された調光値を前記複数の光源のそれぞれに提供してよい。
【０００９】
この場合、前記プロセッサは、照度値及び色温度を更に考慮し、前記陰オブジェクトの大きさを決定してよい。
【００１０】
一方、前記プロセッサは、色温度を更に考慮し、前記複数の光源のそれぞれに対する調光値を算出してよい。
【００１１】
一方、前記複数の光源は、マトリックス状に配置されてよい。
【００１２】
一方、前記センサ部は、前記ディスプレイ装置上に相互離隔している複数の位置に配置される複数の照度センサを含んでよい。
【００１３】
この場合、前記複数の照度センサは、前記ディスプレイ装置の左上に配置される第１照度センサと、前記ディスプレイ装置の右上に配置される第２照度センサとを含んでよい。
【００１４】
この場合、前記センサ部は、照度、光強度及び色温度を検知するカラーセンサを更に含んでよい。
【００１５】
一方、本発明の一実施形態に係るディスプレイ方法は、複数の光源を用いて予め設定されたオブジェクトを含む背景映像を表示するステップと、ディスプレイ装置の外側に設置され、外部の照明環境を検知するステップと、前記検知された照明環境に応じて照明方向を決定し、前記決定された照明方向に対応する位置に前記予め設定されたオブジェクトに対する陰オブジェクトを表示する一方で、前記複数の光源のうち、前記陰オブジェクトの位置に対応する光源の輝度を前記検知された照明環境に応じて調整するステップとを含む。
【００１６】
この場合、前記調整するステップは、前記複数の光源のうち、前記陰オブジェクトの位置に対応する光源の輝度が他の光源より暗くなるように前記複数の光源を制御してよい。
【００１７】
この場合、前記調整するステップは、前記ディスプレイ装置の外部の照明環境及び前記陰オブジェクトの位置に基づいて、前記複数の光源のそれぞれに対する調光値を算出し、前記算出された調光値を前記複数の光源のそれぞれに提供してよい。
【００１８】
この場合、前記調整するステップは、色温度を更に考慮し、前記複数の光源のそれぞれに対する調光値を算出してよい。
【００１９】
一方、前記調整するステップは、照度値及び色温度を更に考慮し、前記陰オブジェクトの大きさを決定し、前記決定された位置に前記決定された大きさの陰オブジェクトを表示してよい。
【００２０】
一方、前記複数の光源は、マトリックス状に配置されてよい。
【００２１】
一方、前記検知するステップは、前記ディスプレイ装置の外側に相互離隔している複数の位置に配置される複数の照度センサを用いて照明環境を検知してよい。
【００２２】
この場合、前記検知するステップは、前記複数の位置のうち少なくとも一つの位置で照度、光強度及び色温度を検知してよい。
【００２３】
一方、本発明の一実施形態に係るディスプレイ方法を実行するためのプログラムを含むコンピュータ読み取り可能な記録媒体において、前記ディスプレイ方法は、複数の光源を用いて予め設定されたオブジェクトを含む背景映像を表示するステップと、前記ディスプレイの外側に設置され、外部の照明環境を検知するステップと、前記検知された照明環境に応じて照明方向を決定し、前記決定された照明方向に対応する位置に前記予め設定されたオブジェクトに対する陰オブジェクトを表示する一方で、前記複数の光源のうち、前記陰オブジェクトの位置に対応する光源の輝度を前記検知された照明環境に応じて調整するステップとを含む。
【図面の簡単な説明】
【００２４】
【図１】本発明の一実施形例に係るディスプレイが透明なガラス窓になったようなイメージ効果を提供する実施形態を説明するための図である。
【図２】本発明の一実施形態に係るディスプレイ装置の概略な構成を示すブロック図である。
【図３】本発明の一実施形態に係るディスプレイ装置の具体的な構成を示すブロック図である。
【図４】図２のディスプレイの具体的な構成を示す図である。
【図５】本発明の一実施形態に係る複数のセンサの配置形態を示す図である。
【図６】図５のセンサから取得された値を用いて複数の領域に対する照度値を獲得する方法を説明するための図である。
【図７】獲得された照度値に応じて背景映像を変更する第１実施形態を示す図である。
【図８Ａ】獲得された照度値に応じて背景映像を変更する第２実施形態を示す図である。
【図８Ｂ】獲得された照度値に応じて背景映像を変更する第２実施形態を示す図である。
【図９】獲得された照度値に応じて背景映像を変更する第３実施形態を示す図である。
【図１０】二つのセンサを用いて複数の領域に対する照度値を獲得する方法を説明する図である。
【図１１】本発明の一実施形態に係るディスプレイ方法を説明するための図である。
【発明を実施するための形態】
【００２５】
本実施形態は、多様な変化を施すことができ、色々な実施形態を有することができるため、特定の実施形態を図に例示し、詳細な説明について詳細に説明する。しかし、それは、特定の実施形態に対して範囲を限定しようとするものではなく、開示された思想及び技術範囲に含まれる全ての変換、均等物ないし代替物を含むものとして理解すべきである。実施形態を説明する上で、関連の公知技術に対する具体的な説明が要旨を不要に曖昧にすると判断される場合には、その詳細な説明を省略する。
【００２６】
第１、第２などの用語は、多様な構成要素を説明するうえで使われるが、構成要素は用語によって限定されてはならない。用語は、一つの構成要素を別の構成要素から区別する目的としてのみ使われる。
【００２７】
本出願において使用する用語は、単に特定の実施形態を説明するために使われるものとして、権利範囲を限定しようとするものではない。単数の表現は、文脈上明白にそうである場合を除いては、複数の表現を含む。本出願で、「含む」または「構成される」などの用語は、明細書上に記載された特徴、数字、ステップ、動作、構成要素、部品またはこれらの組み合わせが存在することを指定するものであって、一つまたはそれ以上の別の特徴や、数字、ステップ、動作、構成要素、部品またはこれらの組み合わせの存在または付加の可能性を予め排除するものではないと理解されるべきである。
【００２８】
実施形態において、「モジュール」或いは「部」は、少なくとも一つの機能や動作を行い、ハードウェアまたはソフトウェアで実現されたり、ハードウェアとソフトウェアとの組み合わせで実現されてよい。なお、複数の「モジュール」或いは複数の「部」は、特定のハードウェアで実現される必要がある「モジュール」或いは「部」を除いては、少なくとも一つのモジュールで一体化されて少なくとも一つのプロセッサ（図示せず）で実現されてよい。
【００２９】
以下では、添付の図を参照して本発明について具体的に説明する。
【００３０】
図１は、本発明の一実施形例に係るディスプレイ装置の動作を説明するための図である。
【００３１】
本発明の一実施形態に係るディスプレイ装置１００は、二つの動作モードを有する。まず、第１動作モードは、通常映像を表示するモードである。具体的に、第１動作モードは、ディスプレイ装置１００に予め保存されたコンテンツまたは外部から受信された放送をディスプレイ装置の全画面を用いて表示するモードである。
【００３２】
そして、第２動作モードは、ディスプレイ装置が背景画面を表示し、ディスプレイ装置をユーザが簡単に認知できないようにするモードである。ここで、背景画面は、ディスプレイの位置する背景をユーザが予め撮像した画面である。
【００３３】
このように、第２動作モードで表示される場合、ディスプレイ装置１００はディスプレイ装置の後ろの背景画面を表示するため、ユーザはディスプレイ装置が透明なガラス窓になったような錯覚を覚えることができる。
【００３４】
一方、第２動作モードの際には、背景画面のみを表示するだけでなく、特定のオブジェクトを同時に表示することができる。ここで、特定のオブジェクトは、時計オブジェクトであってよいが、普通の壁に付着できるものなら、多様なオブジェクト（例えば、絵、写真、金魚鉢など）が表示されてよい。
【００３５】
一方、ディスプレイ装置１００が第２動作モードで動作する場合、即ち、背景画面を表示する場合には、実際の背景環境とディスプレイ装置１００で表示される背景画面と間に輝度などの差が小さいほうが、ユーザがディスプレイ装置１００と実際の背景環境との違和感を認知しにくくなる。
【００３６】
よって、ディスプレイ装置１００の周辺環境の変化に応じてディスプレイ装置１００に表示される背景画面も適応的に変更される必要がある。
【００３７】
それにより、本発明に係るディスプレイ装置１００は、周辺の照明環境を検知し、検知された周辺の照明環境に応じてディスプレイ装置で表示される映像の輝度を適応的に調整する。特に、本発明に係るディスプレイ装置１００は、周辺に位置する照明方向を検知し、検知された照明方向に適応的に背景画面を表示する。
【００３８】
以下では、ディスプレイ装置の具体的な構成を用いて上述の動作を詳細に示すブロック図である。
【００３９】
図２は、本発明の一実施形態に係るディスプレイ装置の概略な構成を示すブロック図である。図２を参照すると、本ディスプレイ装置は、センサ部１１０と、プロセッサ１３０及びディスプレイ２００で構成される。
【００４０】
センサ部１１０は、ディスプレイ装置の周辺に対する照明環境を検知する。具体的に、センサ部１１０は、ディスプレイ装置上に相互離隔している位置に配置される複数のセンサを含む。実現の際には、センサ部１１０は、二つのセンサで構成されてよく、四つ以上でも構成されてよい。そして、ここで、センサは、照度を検知する照度センサであってよく、照度だけでなく、色温度なども検知可能なカラーセンサであってよい。一方、上述のセンサは、ディスプレイ２００から放たれる光の影響を受けないようにディスプレイ装置のフレーム内に埋め込まれた形態を有してよい。
【００４１】
よって、仮に、センサ部１１０が二つのセンサで構成される場合、一つの照度センサと一つのカラーセンサで構成されたり、二つのカラーセンサで構成されてよい。一方、実現時に、二つのセンサいずれもが、照度センサで実現されてよいが、少なくとも一つのカラーセンサが備えられることが望ましい。
【００４２】
そして、センサ部１１０は、四つのセンサで構成される場合、センサ部１１０は、図５のような配置形態を有してよい。このような配置構造については、図５を参照して後述する。
【００４３】
センサ部１１０は、ＩＲセンサ、超音波センサ、ＲＦセンサなどを更に含み、ユーザの位置を検知することもできる。
【００４４】
ディスプレイ２００は映像を表示する。このようなディスプレイ２００は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）などのような多様な形態のディスプレイで実現されてよい。ディスプレイ２００内には、ａ−ｓｉ  ＴＦＴ、ＬＴＰＳ（ｌｏｗ  ｔｅｍｐｅｒａｔｕｒｅ  ｐｏｌｙ  ｓｉｌｉｃｏｎ）  ＴＦＴ、ＯＴＦＴ（ｏｒｇａｎｉｃ  ＴＦＴ）などのような形態で実現され得る駆動回路、バックライトユニットなども併せて含まれてよい。一方、ディスプレイ２００は、タッチ検知部と組み合わせてタッチスクリーンで実現されてよい。
【００４５】
ディスプレイ２００は、バックライトを含む。ここで、バックライトは、複数の光源で構成される点光源として、ローカル調光をサポートする。
【００４６】
ここで、バックライトを構成する光源は、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）または発光ダイオード（Ｌｉｇｈｔ  Ｅｍｉｔｔｉｎｇ  Ｄｉｏｄｅ：ＬＥＤ）で構成されてよい。以下では、バックライトを発光ダイオードと発光ダイオード駆動回路とで構成されるものとして示して説明するが、実現時には、ＬＥＤ以外に他の構成で実現されてよい。そして、このようなバックライトを構成する複数の光源は、多様な形態で配置されてよく、多様なローカル調光技術が適用されてよい。例えば、バックライトは、複数の光源がマトリックス状に配置されて液晶画面全体に均一に配置される直下型（Ｄｉｒｅｃｔ  Ｔｙｐｅ）バックライトであってよい。この場合、バックライトは、Ｆｕｌｌ−Ａｒｒａｙローカル調光または直下型ローカル調光で動作することができる。ここで、Ｆｕｌｌ−Ａｒｒａｙローカル調光は、ＬＣＤ画面の後ろに全体的に光源が満遍なく配置され、各光源別輝度の調節を行う調光方式である。そして、直下型ローカル調光は、Ｆｕｌｌ−Ａｒｒａｙローカル調光方式と類似しているが、より小さい光源の数で各光源別輝度の調節を行う調光方式である。
【００４７】
なお、バックライトは、ＬＣＤの周縁部分にのみ複数の光源が配置されるエッジ型（Ｅｄｇｅ  ｔｙｐｅ）バックライトであってよい。この場合、バックライトは、Ｅｄｇｅ−ｌｉｔローカル調光で動作することができる。ここで、Ｅｄｇｅ−ｌｉｔローカル調光は、複数の光源がパネルの周縁にのみ配置され、左／右のみに配置されるか、上／下のみに配置されるか、上／下／左／右に配置されることも可能である。
【００４８】
プロセッサ１３０は、ディスプレイ装置１００の動作全般を制御する。具体的に、ディスプレイ装置１００の動作モードを決定する。具体的に、プロセッサ１３０は、ユーザからテレビ表示命令またはコンテンツ表示命令を入力されたなら、通常映像を表示する第１動作モードであると決定することができる。仮に、第１動作モードである場合に、電源命令を入力されたか、動作モードの切替命令を入力されたなら、プロセッサ１３０は背景画面を表示する第２動作モードであると決定してよい。よって、本発明の一実施形態に係るユーザの通常の電源動作に応じて、第１動作モードと第２動作モードとが切り替えられてよい。
【００４９】
そして、仮に、ディスプレイ装置１００が第１動作モードまたは第２動作モードで動作中の場合に、ユーザが電源ボタンを予め設定された時間の間押し続ける場合、プロセッサ１３０は、通常の電源オフボタンに切り替えてよい。
【００５０】
そして、電源オフモードの際に、電源命令を入力されたなら、プロセッサ１３０は電源オフ前の直前動作モードで動作すると決定してよい。
【００５１】
ディスプレイ装置１００の動作モードが第１動作モードであると決定されると、プロセッサ１３０は操作部１７５を介して入力される制御命令に応じた映像が表示されるようにディスプレイ２００を制御することができる。
【００５２】
このとき、プロセッサ１３０は、表示される映像の輝度値に対応する複数の調光信号を生成してディスプレイ２００に提供することができる。このとき、プロセッサ１３０は、センサ部１１０内の複数のセンサから検知された照度値のうちの一つの照度値のみを用いて、外部の輝度値を考慮して表示される映像の輝度を調節することができる。
【００５３】
ディスプレイ装置１００の動作モードが第２動作モードであると決定されると、プロセッサ１３０は背景映像が表示されるようにディスプレイ２００を制御することができる。ここで、背景映像は、ディスプレイ装置１００の背面に対応する写真イメージや、ディスプレイ装置１００の周辺イメージを通じて生成されたイメージであってよい。そして、背景映像には、更なるグラフィックイメージを更に含んでよい。
【００５４】
そして、プロセッサ１３０は、ディスプレイ装置１００の周辺に対する照明環境を検知するようにセンサ部１１０を制御し、検知された照明環境に応じて照明方向を決定することができる。具体的に、プロセッサ１３０は、複数のセンサのそれぞれから検知された信号値を基にディスプレイ２００の複数の領域に対する照明値を確認することができる。このとき、複数の領域は、二つの領域か三つの領域であってよく、バックライトを構成するＬＥＤモジュールの数に対応してよい。
【００５５】
例えば、ディスプレイ２００が五つの光源を用いて動作する場合、プロセッサ１３０は水平方向に五つに区分される五つの領域のそれぞれの照明値を計算することができる。ここで、光源のそれぞれは、一つの調光信号で動作可能な光源として、例えば、一つのＬＥＤで構成されてよく、複数のＬＥＤが直列接続された一つのストリングで構成されてよい。一方、以上では、光源の水平方向に配置されるものとして説明したが、直下型バックライトで構成される場合、複数の光源はマトリックス状に配置されてよく、プロセッサ１３０は複数の光源がそれぞれの位置に対する照明値を計算することができる。
【００５６】
そして、プロセッサ１３０は、計算された照明値に基づいて照明の位置を推定することができる。一方、センサが左右方向にのみ位置する場合、即ち、一つの水平方向にのみ複数のセンサが配置される場合、照明が左に位置するか、上に位置するか、右に位置するかを決定することができる。一方、実現時には、プロセッサ１３０は、ディスプレイ２００の中間位置を中心に照明がどこに位置するか、角度形態で決定してよい。
【００５７】
仮に、センサが図５に示すように、４位置に位置する場合、プロセッサ１３０は、照明の高さも決定することができる。このように、照明の高さも決定する場合、プロセッサ１３０は垂直方向に応じても、異なる輝度値を有するように複数の光源を制御することができる。
【００５８】
そして、プロセッサ１３０は、検知された照明環境に応じて、複数の光源のそれぞれに対するローカル調光を行うことができる。具体的に、プロセッサ１３０は、明るい照明を有する領域に対応する光源に対しては高い輝度を有するようにローカル調光し、暗い照明を有する領域に対応する光源に対しては低い輝度を有するようにローカル調光することができる。
【００５９】
それにより、プロセッサ１３０は、算出された複数の調光値に対応する調光信号を複数の光源のそれぞれに提供する。ここで、調光信号は、算出された調光値に対応するデューティを有するＰＷＭ信号であってよい。一方、上述の説明では、ＰＷＭ信号形態の調光信号をプロセッサ１３０が提供するものとして説明したが、実現の際には、プロセッサ１３０はデジタル方式で調光値を伝達し、ディスプレイ２００から伝達された調光値に対応する調光信号を生成して光源を制御することができる。
【００６０】
そして、プロセッサ１３０は、表示される背景映像に対するイメージ処理を行うことができる。具体的に、プロセッサ１３０は、センサ部１１０から検知された色温度に基づいて背景映像の色温度を変換するイメージ処理を行うことができる。このとき、プロセッサ１３０は、前の過程で計算された複数の領域のそれぞれに対する照度値に基づいて表示される背景映像に対するイメージ処理を行うこともできる。
【００６１】
そして、プロセッサ１３０は、背景映像を表示する際、オブジェクトを併せて表示するようにディスプレイ２００を制御することができる。具体的に、プロセッサ１３０は、予め設定されたオブジェクト、背景映像を含む画面を生成し、生成された画面をディスプレイ２００に提供することができる。ここで、予め設定されたオブジェクトは、アナログ時計、デジタル時計などであってよく、写真、絵、金魚鉢など、多様なグラフィックオブジェクトであってよい。このようなグラフィックオブジェクトは、写真、絵のような静的グラフィックオブジェクトであってよく、動的オブジェクトであってよい。
【００６２】
そして、プロセッサ１３０は、検知された照明環境に応じて照明方向を決定し、決定された照明方向に対応する位置にオブジェクトに対する陰オブジェクトが表示されるようにディスプレイを制御することができる。なお、プロセッサ１３０は、検知された照明値及び色温度に応じて陰オブジェクトの大きさを決定し、決定された大きさを有する陰オブジェクトが表示されるようにディスプレイを制御することができる。例えば、陰は、照明の強度または照明の色温度に応じて異なってよい。よって、本実施形態に係るディスプレイ装置１００も、このような照明の強度及び色温度を考慮し、陰オブジェクトを生成して表示することができる。
【００６３】
そして、プロセッサ１３０は、複数の光源のうち、陰オブジェクトの位置に対応する光源の輝度が別の光源より暗くなるように前記バックライトを制御することができる。より具体的に、プロセッサ１３０は、周辺の照度値及び陰オブジェクトの位置に基づいて複数の光源のそれぞれに対する調光値を算出し、算出された調光値を複数の光源のそれぞれに提供することができる。
【００６４】
一方、実現の際には、ディスプレイ２００は、複数のオブジェクトを表示することができ、この場合、プロセッサ１３０は複数のオブジェクト及び複数のオブジェクトのそれぞれに対する陰オブジェクトを有する画面をディスプレイ２００に提供することができる。
【００６５】
そして、プロセッサ１３０は、検知された照明環境に応じて照明方向を決定し、決定された照明方向に対応する位置にディスプレイ装置１００のフレームの陰オブジェクトが表示されるようにディスプレイ２００を制御することができる。なお、プロセッサ１３０は、フレームの陰オブジェクト配置される領域に対しても、周辺より暗くなるように、フレームに対する陰オブジェクトが配置される領域に対応する光源に対しても、低い輝度を有するようにローカル調光を行うことができる。
【００６６】
そして、プロセッサ１３０は、第２動作モードで動作時に、電源削減のために、赤外線センサなどでディスプレイ装置１００の周辺にユーザが検知された場合にのみ背景映像を表示することができる。即ち、プロセッサ１３０は、第２動作モードの際に、ディスプレイ装置１００の周辺にユーザが検知されていない場合には、背景映像を表示しなくてよい。
【００６７】
そして、プロセッサ１３０は、第２動作モードの際には、ディスプレイ２００が第１動作モードの際に動作するフレームレートより低いフレームレートで動作するようにディスプレイ２００を制御することができる。例えば、ディスプレイ２００が第１動作モードの際に、２４０Ｈｚで映像を表示する場合、プロセッサ１３０は、第２動作時に２４０Ｈｚより遅い１２０Ｈｚや６０Ｈｚで動作するようにディスプレイ２００を制御することができる。
【００６８】
そして、プロセッサ１３０は、センサ部１１０を介して検知されたユーザの位置に基づいて、ユーザの位置に対応してバックライトに対する調光値を可変して提供することができる。具体的に、プロセッサ１３０は、ユーザの位置に応じて視野角が良くなるように調光値を可変してバックライトに提供することができる。
【００６９】
なお、プロセッサ１３０は、センサ部１１０を介してユーザが検知されなければ、映像の表示動作が行われないようにディスプレイ２００を制御することができる。
【００７０】
そして、プロセッサ１３０は、後述の通信部１７０で受信した天気情報に基づいて、対応するオブジェクトが表示されるようにするか特定イベントを行うことができる。例えば、天気情報に雨の情報が検知されると、プロセッサ１３０は、背景画面に雨のオブジェクトが表示されるようにディスプレイ２００を制御し、雨音が出力されるようにオーディオ出力部１５５を制御することができる。
【００７１】
以上のように、本実施形態に係るディスプレイ装置１００は、検知された照明環境に応じて適応的に背景映像の輝度を変更するため、ディスプレイ装置１００の透明効果を極大化することができる。なお、本実施形態に係るディスプレイ装置１００は、照明環境に応じて輝度変換を局部的な調光制御を通じて行うため、低いリソースで透明効果を極大化することができる。
【００７２】
以上では、ディスプレイ装置１００の概略な構成のみを説明しているが、ディスプレイ装置１００は、図３に示すような構成を追加で含んでよい。ディスプレイ装置１００の具体的な構成に対しては、図３を参照して以下で説明する。
【００７３】
図３は、本発明の一実施形態に係るディスプレイ装置の具体的な構成を示すブロック図である。図３を参照すると、本実施形態に係るディスプレイ装置１００は、センサ部１１０と、ディスプレイ２００と、プロセッサ１３０と、放送受信部１４０と、信号分離部１４５と、Ａ／Ｖ処理部１５０と、オーディオ出力部１５５と、映像信号生成部１６０と、保存部１６５と、通信部１７０と、操作部１７５を含んでよい。
【００７４】
センサ部１１０及びディスプレイ２００の構成は、図２の構成と同様であるため、繰り返し説明は省略する。
【００７５】
放送受信部１４０は、放送局または衛星から有線または無線で放送を受信して復調する。具体的に、放送受信部１４０は、アンテナまたはケーブルを通じて伝送ストリームを受信して復調し、デジタル伝送ストリーム信号を出力することができる。
【００７６】
信号分離部１４５は、放送受信部１４０から提供された伝送ストリーム信号を映像信号、オーディオ信号、付加情報信号に分離する。そして、信号分離部１４５は、映像信号及びオーディオ信号をＡ／Ｖ処理部１５０に伝送する。
【００７７】
Ａ／Ｖ処理部１５０は、放送受信部１４０及び保存部１６５から入力された映像信号及びオーディオ信号に対してビデオデコーディング、ビデオスケーリング、オーディオデコーディングなどの信号処理を行う。そして、Ａ／Ｖ処理部１５０は、映像信号を映像信号提供部１６０に出力し、オーディオ信号をオーディオ出力部１５５に出力する。
【００７８】
一方、受信された映像及びオーディオ信号を保存部１６５に保存する場合、Ａ／Ｖ処理部１５０は映像とオーディオとを圧縮した形態で保存部１６５に出力することができる。
【００７９】
オーディオ出力部１５５は、Ａ／Ｖ処理部１５０から出力されるオーディオ信号をサウンドに変換してスピーカ（図示せず）を介して出力させるか、外部出力端子（図示せず）を介して接続された外部機器に出力する。
【００８０】
映像信号提供部１６０は、ユーザに提供するためのＧＵＩ（Ｇｒａｐｈｉｃ  Ｕｓｅｒ  Ｉｎｔｅｒｆａｃｅ）を生成する。そして、映像信号提供部１６０は、生成されたＧＵＩをＡ／Ｖ処理部１５０から出力された映像に付加する。そして、映像信号提供部１６０は、ＧＵＩの付加された映像に対応する映像信号をディスプレイ２００に提供する。それにより、ディスプレイ２００は、ディスプレイ装置１００で提供する各種情報及び映像信号提供部１６０から伝達された映像を表示する。
【００８１】
そして、映像信号提供部１６０は、Ａ／Ｖ処理部１５０から出力された映像とＧＰＵ１３３から生成した映像とを組み合わせて出力することができる。具体的に、映像信号提供部１６０は、背景イメージを一つのレイヤで入力され、Ａ／Ｖ処理部１５０で生成された映像を別のレイヤで入力され、両レイヤのうち一方を出力するか、両レイヤを合成（または、マージング）してディスプレイ２００に提供することができる。
【００８２】
そして、映像信号提供部１６０は、映像信号に対応する輝度情報を抽出し、抽出された輝度情報に対応する一つの調光信号を生成することができる。このとき、映像信号提供部１６０は、センサ部１１０で検知された照明環境を考慮し、一つの調光信号を生成することができる。そして、映像信号提供部１６０は、生成された調光信号をディスプレイ２００に提供することができる。このような調光信号は、ＰＷＭ信号であってよい。
【００８３】
そして、映像信号提供部１６０は、ディスプレイ装置１００が第２動作モードで動作時には、複数の調光信号を生成することができる。即ち、既に説明したプロセッサ１３０の調光信号を生成する動作は、映像信号提供部１６０で行われてよい。
【００８４】
そして、保存部１６５は、映像コンテンツを保存することができる。具体的に、保存部１６５は、Ａ／Ｖ処理部１５０から映像とオーディオとが圧縮された映像コンテンツを提供されて保存することができ、プロセッサ１３０は、制御に応じて保存された映像コンテンツをＡ／Ｖ処理部１５０に出力することができる。一方、保存部１６５は、ハードディスク、非揮発性メモリ、揮発性メモリなどで実現されてよい。
【００８５】
操作部１７５は、タッチスクリーン、タッチパッド、キーボタン、キーパッドなどで実現され、ディスプレイ装置１００のユーザ操作を提供する。本実施形態では、ディスプレイ装置１００に備えられた操作部１７５を介して制御命令を入力される例を説明しているが、操作部１７５は、外部制御装置（例えば、リモコン）からユーザ操作を入力されることもできる。
【００８６】
通信部１７０は、多様な通信方式を応じて、多様な外部機器と通信を行う構成である。通信部１７０は、Ｗｉ−Ｆｉチップ３３１、ブルートゥース（登録商標）チップ３３２を含んでよい。プロセッサ１３０は、通信部１７０を用いて各種外部機器と通信を行うことができる。具体的に、通信部１７０は、ディスプレイ装置１００を制御できる制御端末装置（例えば、リモコン）から制御命令を受信することができる。
【００８７】
通信部１７０は、外部サーバとの通信を通じて天気情報を獲得することができる。
【００８８】
その他に、図２に示していないが、実施形態に応じては、通信部１７０は、ＵＳＢコネクタが接続できるＵＳＢポートや、ヘッドセット、マウス、ＬＡＮなどのような多様な外部端子と接続するための多様な外部入力ポート、ＤＢＭ（Ｄｉｇｉｔａｌ  Ｍｕｌｔｉｍｅｄｉａ  Ｂｒｏａｄｃａｓｔｉｎｇ）信号を受信して処理するＤＭＢチップなどを更に含むことができる。
【００８９】
プロセッサ１３０は、ディスプレイ装置１００の動作全般を制御する。具体的に、プロセッサ１３０は、第１動作モードの際には、操作部１７５を介して入力される制御命令に応じた映像が表示されるように映像信号提供部１６０、ディスプレイ２００を制御することができる。
【００９０】
プロセッサ１４０は、ＲＯＭ１３１、ＲＡＭ１３２、ＧＰＵ（Ｇｒａｐｈｉｃ  Ｕｓｅｒ  Ｉｎｔｅｒｆａｃｅ）１３３、ＣＰＵ１３４及びバスを含んでよい。ＲＯＭ１３１、ＲＡＭ１３２、ＧＰＵ（Ｇｒａｐｈｉｃ  Ｕｓｅｒ  Ｉｎｔｅｒｆａｃｅ）１３３、ＣＰＵ１３４などは、バスを通じて相互接続されてよい。
【００９１】
ＣＰＵ１３４は、保存部１７５にアクセスし、保存部１７５に保存された運営体制（Ｏ／Ｓ）を用いてブートを行う。そして、ＣＰＵ１３４は、保存部１７５に保存された各種プログラム、ｌコンテンツ、データなどを用いて多様な動作を行うことができる。このようなＣＵＰ１３４の動作は、図２のプロセッサ１３０の動作と同様であるため、繰り返し説明は省略する。
【００９２】
ＲＯＭ１３１には、システムブートのための命令語セットなどが保存される。ターンオン命令が入力されて電源が供給されると、ＣＰＵ１３４は、ＲＯＭ１３１に保存された命令語に応じて保存部１６５に保存されたＯ／ＳをＲＡＭ１３２にコピーし、Ｏ／Ｓを実行させてシステムをブートさせる。ブートが完了すると、ＣＵＰ１３４は、保存部１６５に保存された各種プログラムをＲＡＭ１３２にコピーし、ＲＡＭ１３２にコピーされたプログラムを実行させて各種動作を行う。
【００９３】
ＧＰＵ１４０は、ディスプレイ装置１００のブートが完了すると、アイコン、イメージ、テキストなどのような多様な客体を含む画面を生成することができる。具体的に、ＧＰＵ１４０は、ディスプレイ装置１００が第２動作モードで動作する場合、背景映像に予め設定されたオブジェクトを含む画面を生成することができる。なお、ＧＰＵ１４０は、表示されたオブジェクトに対応する陰オブジェクト及び／またはディスプレイ装置１００のフレームに対応する陰オブジェクトを含む画面を生成することができる。
【００９４】
このようなＧＰＵ構成は、映像信号生成部１６０のような別途の構成で構成されてよく、プロセッサ１３０内のＣＰＵと組み合わせられたＳｏＣのような構成で実現されてよい。
【００９５】
以上のように、本実施形態に係るディスプレイ装置１００は、検知された照明環境に応じて適応的に背景映像の輝度を変更できるため、ディスプレイ装置１００の透明効果を極大化することができる。
【００９６】
図４は、図２のディスプレイの具体的な構成を示す図である。図４を参照すると、ディスプレイ２００は、映像ボード２３０と、パネル２１０と、バックライト２２０で構成される。
【００９７】
映像ボード２３０は、映像処理及びディスプレイの制御全般のための回路またはチップが配置されてよい。具体的に、映像ボード２３０は、入力された映像信号を処理し、ＲＧＢ映像信号と入力制御信号（ＤＥ、Ｈｓｙｎｃ、Ｖｓｙｎｃ、ＭＣＬＫ）を生成することができる。ここで、入力制御信号は、データイネーブル信号（ＤＥ）、水平同期信号（Ｈｓｙｎｃ）、垂直同期信号（Ｖｓｙｎｃ）及びメインクロック信号（ＭＣＬＫ）を含んでよい。
【００９８】
そして、映像ボード２３０は、複数の光源のそれぞれに対応する調光信号を生成する。具体的に、映像ボード２３０は、プロセッサ１３０から複数の光源のそれぞれに対する調光値を受信し、受信された調光値に対応する調光信号を生成してバックライト２２０に提供する。一方、以上では、映像ボード２３０がプロセッサ１３０から調光値を受信し、それに対応する調光信号を生成するものとして説明したが、映像ボード２３０で直接入力された映像信号などに基づいて、直接調光値を生成し、生成された調光値で調光信号を生成することも可能である。
【００９９】
パネル２１０は、印加電圧に応じて液晶透過度が変わってよい。具体的に、パネル２１０は、二枚のガラス基板の間に液晶層を設け、ｍ個のデータラインとｎ個のデータラインとが交差構造によってマトリックス状に配置されたｍ×ｎ個の液晶セル（Ｃｌｃ）を含んでよい。
【０１００】
バックライト２２０は、パネル２１０の背面に配置されるパネル２１０に光を発する。このようなバックライト２２０は、ローカル調光をサポートする点光源であり、複数の光源がマトリックス状に配置される直下型バックライトか、複数の光源がディスプレイの水平方向に予め設定された間隔単位で配置されるエッジ型バックライトであってよい。そして、各光源は、一つのＬＥＤで構成されるか、複数のＬＥＤが直列で接続されたＬＥＤストリングであってよい。
【０１０１】
一方、光を発光する発光ダイオードを用いる場合、バックライトはＬＥＤ駆動のためのＬＥＤドライバ部が備えられなければならない。具体的に、ＬＥＤドライバ部は、映像ボード２３０から提供される調光情報に対応する輝度値でバックライトが動作するように輝度値に対応する定電流をＬＥＤに提供する構成である。
【０１０２】
図５は、本発明の一実施形態に係る複数のセンサの配置形態を示す図である。そして、図６は、図５のセンサから取得された値を用いて複数の領域に対する照度値を獲得する方法を説明するための図である。図５および図６を参照すると、センサ部１１０は四つのセンサ１１１、１１２、１１３、１１４で構成される。
【０１０３】
第１センサ１１１は、ディスプレイ装置の左上側に配置されるセンサとして、照度センサまたはカラーセンサで実現されてよい。
【０１０４】
第２センサ１１２は、ディスプレイ装置の左右側に配置されるセンサとして、照度センサまたはカラーセンサで実現されてよい。
【０１０５】
第３センサ１１３は、ディスプレイ装置の左下側に配置されるセンサとして、照度センサまたはカラーセンサで実現されてよい。
【０１０６】
第４センサ１１４は、ディスプレイ装置の左下側に配置されるセンサとして、照度センサまたはカラーセンサで実現されてよい。
【０１０７】
このように、センサ部１１０は、四つのセンサで構成されるため、第１センサ１１１と第２センサ１１２との照度値比較または第３センサ１１３と第４センサ１１４との調度値比較を通じて、ディスプレイ装置１００の左／右側の照度の差を知ることができる。
【０１０８】
なお、第１センサ１１１と第３センサ１１３との調度値比較または第２センサ１１２と第４センサ１１４との照度値比較を通じ、ディスプレイ装置の上／下側の照度の差を知ることができる。
【０１０９】
そして、上述のセンサのうち少なくとも一つは、カラーセンサで構成されてよい。カラーセンサは、照度値だけでなく、光の強度も測定することができる。よって、プロセッサ１３０は、カラーセンサの強度に応じて、オブジェクトに対する陰の長さを可変することができる。即ち、光の強度が強く検知されると、プロセッサ１３０はオブジェクトに影の明暗をはっきりと表示することができる。
【０１１０】
そして、プロセッサ１３０は、四つのセンサから検知された照度値を用いて、図６に示すように、９の領域のそれぞれに対する照度値を計算することができる。実現の際には、９の領域ではなく、必要な領域（例えば、左領域、中央領域、右領域）に対する照度値を計算することができる。
【０１１１】
そして、プロセッサ１３０は、検知された四つのセンサに基づいて照明の位置を把握することができる。
【０１１２】
例えば、第１センサ１１１の照度値が最も高く、他のセンサ１１２、１１３、１１４の照度値が同じくらいなら、プロセッサ１３０は光源が図６のＬ５方向に位置していると判断することができる。
【０１１３】
または、第１センサ１１１と第３センサ１１３の照度値が同じくらいで、第２センサ１１２と第４センサ１１４の照度値が低い場合、プロセッサ１３０は光源が図６のＬ２方向に位置しているものとして判断することができる。
【０１１４】
または、四つのセンサの調度値が同じくらいである場合、プロセッサ１３０は光源がＬ９の上部に位置しているものと判断することもできる。
【０１１５】
図７は、獲得された照度値に応じて背景映像を変更する第１実施形態を示す図である。図７を参照すると、ディスプレイ装置１０の透明効果を極大化するために、陰方向を変更する。
【０１１６】
具体的に、第１イメージ７１０は、陰効果が適用されていない図である。
【０１１７】
第２イメージ７２０は、左上側に光源が配置された場合に、右下に影効果が適用された図である。
【０１１８】
第３イメージ７３０は、左右側に光源が配置された場合に、左下に影効果が適用された図である。
【０１１９】
第４イメージ７４０は、光源が検知されていないため、イメージ全体に明暗を施すことが適用された図である。
【０１２０】
一方、実現の際には、カラーセンサから検知された光の強度（または、色温度）に応じて、上述の陰効果の長さを可変することもできる。
【０１２１】
一方、以上では、光源の左／右配置だけでなく、上／下配置も考慮するものとして説明してきた。しかし、実際のディスプレイ装置１００が配置される環境を分析し、一般の家庭は、照明灯はディスプレイ装置１００の上部領域にのに位置することが通常である。即ち、光源の方向は、左／右方向にのみ可変される場合が一般的であるため、二つのセンサのみを用いることもできる。このような動作については、図８Ａ及び図８Ｂを参照して以下で説明する。
【０１２２】
図８Ａ及び図８Ｂは、獲得された照度値に応じて背景映像を変更する第２実施形態を示す図である。そして、図１０は、二つのセンサを用いて複数の領域に対する照度値を獲得する方法を説明する図である。
【０１２３】
図８Ａ、図８Ｂ及び図１０を参照し、センサ部１１０は、相互水平方向に離隔して配置される二つのセンサを含む。
【０１２４】
プロセッサ１３０は、二つのセンサから検知された照度値に基づいて、光源の位置を判断する。図８Ｂの場合、左側センサの調度値が更に強く検知されるだめ、プロセッサ１３０は、光源はディスプレイ装置１００の左側に配置されるものとして判断することができる。
【０１２５】
それにより、プロセッサ１３０は、映像の右側に対応する領域が左側領域より低い輝度値を有するようにディスプレイ２００を制御することができる。例えば、照明が左側にある場合、光源の近くにある壁紙が光源から離れている壁紙より明るいはずであるためである。このような実際の環境を反映するように、プロセッサ１３０はバックライトの調光値を局部的に制御することができる。
【０１２６】
一方、背景映像を表示する際に、背景に対応するイメージを表示するだけでなく、特定オブジェクトを併せて表示することができる。具体的に、図８Ａ及び図８Ｂに示すように、ディスプレイ装置は、特定の絵８２０、８４０を表示し、壁に絵がかかっているような効果を与えることができる。
【０１２７】
一方、光源における位置に対する輝度変化は、背景イメージだけでなく、表示されるオブジェクト８２０、８４０にも影響を及ぼす。しかし、このような影響をイメージプロセッシング過程を通じて反映するためには、ディスプレイ装置１００が高いリソースを有するべきで、持続的に高いリソースの消費が必要である。
【０１２８】
しかし、本実施形態に係るディスプレイ装置１００は、比較的簡単に局部的な調光調整を通じ、図８Ｂに示すように、領域８３１、８３２、８３３別の輝度値に差をつけて調整するため、低いリソースで動作可能である。
【０１２９】
一方、図８Ａ及び図８Ｂでは、三つの領域で輝度値を調整するものとして示しているが、実現の際には、ディスプレイ装置１００内に備えられるバックライトの数に対応する領域数で調整することが可能である。
【０１３０】
一方、以上では、オブジェクトに対して別途のイメージ処理なしに、局部的な調光のみを行うものとして説明しているが、実現の際には、自然なオブジェクトの表示のために、表示されたオブジェクトに対して陰処理を行うことができる。このような動作については、図９を参照して以下にて説明する。
【０１３１】
図９は、背景映像を変更する第３実施形態を示す図である。図９を参照すると、ディスプレイ装置１００は予め設定されたオブジェクトを表示する。このとき、ディスプレイ装置１００は、検知された照度値に基づいて光源の位置を判断し、判断された光源の位置に基づいてオブジェクトとオブジェクトに対する陰を含む映像９０１、９０２、９０３、９０４、９０５、９０６、９０７、９０８、９０９を表示することができる。
【０１３２】
一方、以上では、検知された光源の位置に応じて、絵のみを反映するものとして説明したが、図７、８及び９のそれぞれの実施形態を相互組み合わせられて適用されてよい。
【０１３３】
図１１は、本発明の一実施形態に係るディスプレイ方法を説明するための図である。図１１を参照すると、まず、映像を表示する（Ｓ１１１０）。具体的に、ディスプレイ装置１００が第２動作モードの動作時に背景映像を表示する。このとき、背景映像は予め設定されたオブジェクトを含んでよい。なお、背景映像は、照明方向に対応するオブジェクトに対応する陰オブジェクトも含んでよい。
【０１３４】
そして、ディスプレイ装置の周辺に対する照明環境を検知する（Ｓ１１２０）。具体的に、照明の方向、照明の強度及び色温度などを検知することができる。
【０１３５】
そして、検知された照明環境に応じてディスプレイ装置内の複数の光源（または、バックライト）が相互異なる輝度を有するように制御する（Ｓ１１３０）。具体的に、検知された照明環境に応じて照明方向を決定し、決定された照明方向に対応する位置に予め設定されたオブジェクトに対する陰オブジェクトが表示される一方で、複数の光源のうち陰オブジェクトの位置に対応する光源の輝度を検知された照明環境に応じて調整してよい。
【０１３６】
一方、背景映像にオブジェクトが表示される場合、既に検知された照明方向に考慮し、オブジェクトに対する陰オブジェクトを併せて表示することができる。なお、検知された照度値または色温度を考慮して表示される陰オブジェクトの大きさを可変することができる。
【０１３７】
以上のように、本実施形態に係るディスプレイ方法は、周辺の照明環境を検知し、検知された周辺の照明環境に応じてディスプレイ装置で表示される映像の輝度を適応的に調整するため、よりリアルな透明効果をユーザに提供することができる。図１１のようなディスプレイ方法は、図２又は図３の構成を有するディスプレイ装置上で実行でき、その他の構成を有するディスプレイ装置上でも実行可能である。
【０１３８】
一方、上述の多様な実施形態に係るディスプレイ方法は、プログラムで実現されてディスプレイ装置に提供されてよい。特に、ディスプレイ方法を含むプログラムは、非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）に保存されて提供されてよい。
【０１３９】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１４０】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2020513581.tif 000003
【図２】
2020513581.tif 000004
【図３】
2020513581.tif 000005
【図４】
2020513581.tif 000006
【図５】
2020513581.tif 000007
【図６】
2020513581.tif 000008
【図７】
2020513581.tif 000009
【図８ａ】
2020513581.tif 000010
【図８ｂ】
2020513581.tif 000011
【図９】
2020513581.tif 000012
【図１０】
2020513581.tif 000013
【図１１】
2020513581.tif 000014
【国際調査報告】
2020513581.tif 000015
2020513581.tif 000016